(57)【要約】【課題】環境音が発生する状況を理解し、その状況に対する行動を学習することのできる環境音学習支援装置等を提供する。【解決手段】予め記憶部１２０に環境音データ１２１と音種類情報１２２と環境音関連情報１２３とを互いに対応づけて記憶しておく。ユーザが音リストから１の音種類情報１２２を選択した場合には、当該音種類情報１２２と対応づけられた環境音データ１２１を出力して音を出力する。その後、出力した環境音データ１２１に対応づけられた複数の環境音関連情報１２３を表示部１４０に表示させ、それに対するユーザの選択操作を取得し、ユーザが選択した環境音関連情報１２３が正答であるか否かを判定し、判定結果を出力する。【選択図】図２
2017151227.tif 000002
【特許請求の範囲】
【請求項１】
複数の種類の環境音のデータと、各々の前記環境音が発生する状況又は当該状況に対する行動を示す複数の環境音関連情報と、を互いに対応づけて記憶する記憶部と、
前記環境音のデータに基づいて前記環境音を出力する音出力部と、
表示部と、
前記音出力部が任意の前記環境音を出力した後に、出力した当該環境音のデータと対応づけられた複数の前記環境音関連情報を前記表示部に表示させ、ユーザが選択した前記環境音関連情報が予め定めた正答であるか否かを判定し、判定結果を前記表示部に表示させる制御を行う制御部と、
を備える環境音学習支援装置。
【請求項２】
前記記憶部は、前記環境音の種類を示す音種類情報を、前記環境音のデータと対応づけて記憶し、
前記制御部は、前記音出力部が任意の前記環境音を出力した後に、出力した当該環境音のデータと対応づけられた前記音種類情報を含む複数の音種類情報を前記表示部に表示させ、ユーザが選択した前記音種類情報が当該環境音に対応づけられた前記音種類情報であるか否かを判定し、判定結果を表示部に表示させる、
請求項１に記載の環境音学習支援装置。
【請求項３】
前記記憶部に記憶する複数の種類の前記環境音のデータは、複数のグループに分類されて記憶されており、
前記音出力部は、ユーザが１の前記グループを選択している場合には、選択している前記グループに属する前記環境音からランダムに選択した前記環境音を出力する、
請求項１又は２に記載の環境音学習支援装置。
【請求項４】
前記記憶部に記憶する複数の種類の前記環境音のデータ及び前記音種類情報は、複数のグループに分類されて記憶されており、
前記制御部は、ユーザが１の前記グループを選択している場合には、選択している前記グループに属する任意の前記環境音を前記音出力部が出力した後に、出力した当該環境音のデータと対応づけられた前記音種類情報を含む、選択している前記グループに属する複数の前記音種類情報を前記表示部に表示させ、ユーザが選択した前記音種類情報が当該環境音に対応づけられた前記音種類情報であるか否かを判定し、判定結果を表示部に表示させる、
請求項２に記載の環境音学習支援装置。
【請求項５】
前記制御部は、ユーザが１の前記グループを選択している場合に、選択している前記グループに属する全種類の前記環境音のデータに対応づけられた前記音種類情報を表示させ、ユーザが表示されている前記音種類情報から１の前記音種類情報を選択した場合に、選択した前記音種類情報に対応づけられた前記環境音のデータに基づいて前記音出力部に前記環境音を出力させる、
請求項４に記載の環境音学習支援装置。
【請求項６】
複数の種類の環境音のデータと、各々の前記環境音が発生する状況又は当該状況に対する行動を示す複数の環境音関連情報と、を互いに対応づけて記憶する記憶ステップと、
前記環境音のデータに基づいて前記環境音を出力する音出力ステップと、
前記音出力ステップで任意の前記環境音を出力した後に、出力した当該環境音のデータと対応づけられた複数の前記環境音関連情報を表示部に表示させ、ユーザが選択した前記環境音関連情報が予め定めた正答であるか否かを判定した判定結果を表示する表示ステップと、
を有する環境音学習支援方法。
【請求項７】
コンピュータを、
複数の種類の環境音のデータと、各々の前記環境音が発生する状況又は当該状況に対する行動を示す複数の環境音関連情報と、を互いに対応づけて記憶する記憶部、
前記環境音のデータに基づいて前記環境音を出力する音出力部、
表示部、
前記音出力部が任意の前記環境音を出力した後に、出力した当該環境音のデータと対応づけられた複数の前記環境音関連情報を前記表示部に表示させ、ユーザが選択した前記環境音関連情報が予め定めた正答であるか否かを判定し、判定結果を前記表示部に表示させる制御を行う制御部、
として機能させるためのプログラム。
【発明の詳細な説明】
【技術分野】
【０００１】
本発明は、環境音の学習支援を行う環境音学習支援装置、環境音学習支援方法及びプログラムに関する。
【背景技術】
【０００２】
健常者は日常生活において、様々な環境音を聴取し、それに対する行動を起こすことが多い。一方、聴覚障害者は、環境音を聴取する経験が十分にないことから、適切な行動をすることができない場合がある。このため、聴覚障害児童の音に関する訓練が行われている。
【０００３】
従来の聴覚障害児童の音に関する訓練は、音声の理解が中心となっており、環境音の理解を目的とする訓練は、聾学校などの教員に指導方法が任されている。例えば、予め録音された環境音を再生し、その音を児童が聞いて音当てをするといった指導が行われてきた。
【０００４】
一方、聴覚障害者のための環境音に関するアプリケーションとして、音の情報を視覚、触覚で認識可能な情報に変換して出力するものが多く開発されている（例えば、特許文献１、２、非特許文献１）。
【０００５】
特許文献１に記載の画像処理装置は、環境音をテキスト化して、ユーザに視覚的に提示するエフェクト画像を生成し、コンテンツ画像上にエフェクト画像をオーバーレイする。これにより、効果的にユーザに対して環境音を視覚的に提示できると説明している。
【０００６】
特許文献２に記載のシステムは、マイクロフォンから音声に関連したオーディオ信号を受信し、オーディオ信号の特徴を判断し、特徴の少なくとも一部に基づいたアクチュエータ信号を生成し、アクチュエータに触覚効果を出力させる。これにより、音声の情報を触覚により取得することができると説明している。
【０００７】
また、非特許文献１に記載の事前登録型生活音識別システムは、玄関のチャイムや火災報知機などの生活音を瞬時に識別して、スマートフォンの画面の文字やランプ点滅、振動によって知らせることができるスマートフォン用のアプリケーションである。処理・分析技術の工夫により、例えば、雑音がある場所でも知りたい音を検出し、また、利用者が登録した多数の生活音の中から、より重要性・緊急性・危険性のあるものを優先的に識別することも可能であると説明している。
【先行技術文献】
【特許文献】
【０００８】
【特許文献１】特開２０１１−２５０１００号公報
【特許文献２】特開２０１５−１５６２２９号公報
【非特許文献】
【０００９】
【非特許文献１】科学技術振興機構、”聴覚障害者を支援するスマートフォン用アプリケーションを開発および提供するベンチャー企業設立”、［online］、平成２５年６月１３日、科学技術振興機構報第９６１号、［平成２８年２月２３日検索］、インターネット＜URL: http://www.jst.go.jp/pr/info/info961/index.html＞
【発明の概要】
【発明が解決しようとする課題】
【００１０】
聴覚障害者は、環境音を聴取し、環境音が発生する状況を正しく理解し、それに対する適切な行動ができるようになることが望ましい。しかし、従来の技術は音の情報を視覚又は触覚で提示するに過ぎず、環境音が発せられた状況の理解及びその状況に対する行動に結びつく学習効果は得られなかった。
【００１１】
本発明は、上記実情に鑑みてなされたものであり、環境音が発生する状況を理解し、その状況に対する行動を学習することのできる環境音学習支援装置等を提供することを目的とする。
【課題を解決するための手段】
【００１２】
上記目的を達成するため、本発明の第１の観点に係る環境音学習支援装置は、
複数の種類の環境音のデータと、各々の前記環境音が発生する状況又は当該状況に対する行動を示す複数の環境音関連情報と、を互いに対応づけて記憶する記憶部と、
前記環境音のデータに基づいて前記環境音を出力する音出力部と、
表示部と、
前記音出力部が任意の前記環境音を出力した後に、出力した当該環境音のデータと対応づけられた複数の前記環境音関連情報を前記表示部に表示させ、ユーザが選択した前記環境音関連情報が予め定めた正答であるか否かを判定し、判定結果を前記表示部に表示させる制御を行う制御部と、
を備えることを特徴とする。
【００１３】
前記記憶部は、前記環境音の種類を示す音種類情報を、前記環境音のデータと対応づけて記憶し、
前記制御部は、前記音出力部が任意の前記環境音を出力した後に、出力した当該環境音のデータと対応づけられた前記音種類情報を含む複数の音種類情報を前記表示部に表示させ、ユーザが選択した前記音種類情報が当該環境音に対応づけられた前記音種類情報であるか否かを判定し、判定結果を表示部に表示させるようにしてもよい。
【００１４】
前記記憶部に記憶する複数の種類の前記環境音のデータは、複数のグループに分類されて記憶されており、
前記音出力部は、ユーザが１の前記グループを選択している場合には、選択している前記グループに属する前記環境音からランダムに選択した前記環境音を出力してもよい。
【００１５】
前記記憶部に記憶する複数の種類の前記環境音のデータ及び前記音種類情報は、複数のグループに分類されて記憶されており、
前記制御部は、ユーザが１の前記グループを選択している場合には、選択している前記グループに属する任意の前記環境音を前記音出力部が出力した後に、出力した当該環境音のデータと対応づけられた前記音種類情報を含む、選択している前記グループに属する複数の前記音種類情報を前記表示部に表示させ、ユーザが選択した前記音種類情報が当該環境音に対応づけられた前記音種類情報であるか否かを判定し、判定結果を表示部に表示させるようにしてもよい。
【００１６】
前記制御部は、ユーザが１の前記グループを選択している場合に、選択している前記グループに属する全種類の前記環境音のデータに対応づけられた前記音種類情報を表示させ、ユーザが表示されている前記音種類情報から１の前記音種類情報を選択した場合に、選択した前記音種類情報に対応づけられた前記環境音のデータに基づいて前記音出力部に前記環境音を出力させるようにしてもよい。
【００１７】
また、本発明の第２の観点に係る環境音学習支援方法は、
複数の種類の環境音のデータと、各々の前記環境音が発生する状況又は当該状況に対する行動を示す複数の環境音関連情報と、を互いに対応づけて記憶する記憶ステップと、
前記環境音のデータに基づいて前記環境音を出力する音出力ステップと、
前記音出力ステップで任意の前記環境音を出力した後に、出力した当該環境音のデータと対応づけられた複数の前記環境音関連情報を表示部に表示させ、ユーザが選択した前記環境音関連情報が予め定めた正答であるか否かを判定した判定結果を表示する表示ステップと、
を有することを特徴とする。
【００１８】
また、本発明の第３の観点に係るプログラムは、
コンピュータを、
複数の種類の環境音のデータと、各々の前記環境音が発生する状況又は当該状況に対する行動を示す複数の環境音関連情報と、を互いに対応づけて記憶する記憶部、
前記環境音のデータに基づいて前記環境音を出力する音出力部、
表示部、
前記音出力部が任意の前記環境音を出力した後に、出力した当該環境音のデータと対応づけられた複数の前記環境音関連情報を前記表示部に表示させ、ユーザが選択した前記環境音関連情報が予め定めた正答であるか否かを判定し、判定結果を前記表示部に表示させる制御を行う制御部、
として機能させることを特徴とする。
【発明の効果】
【００１９】
本発明によれば、環境音が発生する状況を理解し、その状況に対する行動を学習することが可能となる。
【図面の簡単な説明】
【００２０】
【図１】本発明の実施形態に係る環境音学習支援装置のハードウェア構成を示すブロック図である。
【図２】環境音学習支援装置の機能構成を示す機能ブロック図である。
【図３】環境音データと音種類情報と環境音関連情報の例を示す図である。
【図４】環境音学習支援処理のフローチャートである。
【図５】環境音学習支援処理のフローチャートである。
【図６】（ａ）環境音学習システムのホーム画面を示す図である。（ｂ）環境音学習システムのグループメニューの画面を示す図である。
【図７】（ａ）音リストを表示した画面を示す図である。（ｂ）環境音を再生させるための画面を示す図である。
【図８】（ａ）音種類情報を選択させるための画面を示す図である。（ｂ）環境音関連情報を選択させるための画面を示す図である。
【図９】（ａ）環境音関連情報の詳細情報を表示した画面を示す図である。（ｂ）次の処理を選択させるための画面を示す図である。
【発明を実施するための形態】
【００２１】
（実施形態）
本発明の実施形態について図面を参照して詳細に説明する。
【００２２】
環境音学習支援装置１００は、環境音学習支援処理のプログラムがインストールされたパソコン、スマートフォン、タブレット型端末等の任意の情報処理端末から構成される。
【００２３】
本実施形態に係る環境音学習支援装置１００は、環境音を出力し、その音の種類及び環境音が発生する状況又はその状況に対する行動を学習するための情報処理装置である。図１に示すように、環境音学習支援装置１００は、制御部１１０と、記憶部１２０と、音出力部１３０と、表示部１４０と、操作部１５０と、バス１６０と、を備える。
【００２４】
制御部１１０は、ＲＯＭ（Read Only Memory）と、ＲＡＭ（Random Access Memory）と、ＣＰＵ（Central Processing Unit）と、を備える。ＲＯＭは、各種初期設定、ハードウェアの検査、プログラムのロード等を行うための初期プログラム等を記憶する。ＲＡＭは、ＣＰＵが実行する各種ソフトウェアプログラム、これらのソフトウェアプログラムの実行に必要なデータ等を一時的に記憶するワークエリアとして機能する。ＣＰＵは、様々な処理及び演算を実行する中央演算処理部である。
【００２５】
記憶部１２０は、例えばハードディスクドライブ又はフラッシュメモリ等のような不揮発性メモリを備える。記憶部１２０は、図２に示すように、環境音データ１２１、環境音の音種類情報１２２、環境音が発生する状況又はその状況に対する行動を示す環境音関連情報１２３を記憶する。また、本実施形態に係る環境音学習支援処理プログラム等の各種プログラムを記憶する。
【００２６】
記憶部１２０に記憶する環境音データ１２１、音種類情報１２２、環境音関連情報１２３は、互いに対応付けて記憶されている。本実施形態では、図３の表に示すように、これらのデータを複数のグループに分類して記憶している。
【００２７】
例えば、図３に示すように「おうち」グループに属する環境音データ１２１「Data1.xxx」の音種類情報１２２は「インターホン」である。そして、これらに対応する環境音関連情報１２３は３つあり、正答の環境音関連情報１２３である「おうちの人に知らせる」「知らない人だからいないふりをする」の２つの情報と、誤答の環境音関連情報１２３である「げんかんのドアを開ける」の１つの情報からなる。本実施形態は、他に「がっこう」と「おそと」のグループに属する環境音データ１２１を記憶している。
【００２８】
ここで、環境音関連情報１２３は、環境音に関連する任意の情報であり、例えば、何が音を発生させたか、何故音が生じたのか、音が生じることで将来何が予想されるかといった、環境音が発生する状況を示した情報を含む。図３の例では、「家の人が掃除中」「救急車が通過する」等が該当する。
【００２９】
また、環境音関連情報１２３は、音を認識した時にどのような行動を取ることが期待されているのかといった、環境音が発生する状況に対する行動を示した情報も含む。図３の例では、「おうちの人に知らせる」「着席する」等が該当する。
【００３０】
環境音関連情報１２３は、各環境音データ１２１及び各音種類情報１２２に対応しており、正答の情報と誤答の情報を少なくとも1ずつ含む２以上の情報を有する。
【００３１】
音出力部１３０は、ＤＡ（Digital-Analog）コンバータとスピーカを備えており、記憶部１２０に記憶されている環境音データ１２１をＤＡコンバータでアナログの音信号に変換して増幅し、スピーカから音を出力する。
【００３２】
表示部１４０は、例えば、液晶ディスプレイ又は有機ＥＬ（Electro Luminescence）ディスプレイ等のような表示デバイスを備える。表示部１４０は、制御部１１０からホーム画面等の表示情報を取得して表示デバイスの画面に出力する。
【００３３】
操作部１５０は、画面上の位置を指定するポインティングデバイスからなり、操作部１５０に対するユーザの操作を取得し、当該操作に基づく操作信号を制御部１１０に出力する。操作部１５０をタッチパネルで構成し、タッチ操作により、表示部１４０の画面上の位置を指定するようにしてもよい。本実施形態では、表示部１４０に表示された複数の選択肢から１の選択肢を選択するユーザの操作等を取得する。
【００３４】
バス１６０は、制御部１１０と、記憶部１２０と、音出力部１３０と、表示部１４０と、操作部１５０と、を接続する。
【００３５】
環境音学習支援装置１００の制御部１１０は、記憶部１２０に記憶している環境音学習支援処理プログラムを実行することにより、図２に示すように、音選択部１１１、音種類情報表示部１１２、解答選択肢生成部１１３、正誤判定部１１４として機能する。
【００３６】
音選択部１１１は、操作部１５０へのユーザの操作に応じて、複数の環境音データ１２１から１のデータを選択し、音出力部１３０に選択した環境音データ１２１を出力する。
【００３７】
音種類情報表示部１１２は、操作部１５０へのユーザの操作に応じて、複数の音種類情報１２２のリスト、又は、複数の音種類情報１２２から選択した１〜３の音種類情報１２２を表示部１４０に出力する。
【００３８】
解答選択肢生成部１１３は、音種類情報１２２や環境音関連情報１２３から予め定めた数の情報を選択し、解答の選択肢を生成して表示部１４０に表示する。
【００３９】
正誤判定部１１４は、解答選択肢生成部１１３が生成した解答の選択肢に対する、操作部１５０へのユーザの操作を取得して、ユーザが選択した解答の正誤を判定し、判定結果を表示部１４０に表示する。
【００４０】
以上のように構成された環境音学習支援装置１００で実行する環境音学習支援処理について、図４、５に示すフローチャートに沿って説明する。
【００４１】
まず、制御部１１０は、ホーム画面を表示部１４０に表示させる（ステップＳ１０１）。ホーム画面は、図６（ａ）に示すような画面であり、環境音学習支援処理を行うアプリケーションの名称と、環境音の種類を分類したグループの名称を付した選択ボタンを表示する。本実施形態では、アプリケーションの名称「環境音学習システム」と、「おうち」「がっこう」「おそと」の３つのグループ名を付したボタンを配置している。このグループ名は、図３に示すように、環境音データ１２１、音種類情報１２２、環境音関連情報１２３と対応付けられて記憶部１２０に記憶されている。
【００４２】
次に、ホーム画面において、ユーザが選択したグループを取得する（ステップＳ１０２）。本実施形態では、「おうち」グループを選択した場合について説明する。その後、図６（ｂ）に示すようなグループ選択後のメニューであるグループメニューを表示部１４０に表示する（ステップＳ１０３）。なお、他のグループを選択した場合であっても、ステップＳ１０３以降の処理は同様である。
【００４３】
グループメニュー画面における選択ボタンは、環境音の音種類情報１２２のリストを表示させる処理を実行させる「音リストをみる」と、音の出題をする処理を実行させる「音を当てるチャレンジ！」の二つである。これらの選択ボタンは、ステップＳ１０２で取得したグループに寄らず同じであるが、どのグループを選択したかに応じて背景を変える。これにより、どのグループを選択中か容易に判別できる。なお、ステップＳ１０４以降の処理においても、背景は選択中のグループに応じた画像でもよいが、ここでは背景を省略した図面を用いて説明する。
【００４４】
ユーザが「音リストをみる」ボタンを選択する操作を操作部１５０が取得してリスト表示が選択された場合（ステップＳ１０４：リスト表示）、図７（ａ）に示すように、「おうち」グループに属する環境音のリストを表示する（ステップＳ１０５）。具体的には、音種類情報表示部１１２が、記憶部１２０に記憶されている音種類情報１２２のうち、「おうち」グループに属するものを読み出して表示部１４０に表示させる。
【００４５】
音選択部１１１は、ステップＳ１０５で表示された環境音リストから選択するユーザの操作を取得すると、選択された環境音データ１２１を記憶部１２０から読み出し、音出力部１３０に出力する（ステップＳ１０６）。音出力部１３０は、環境音データをアナログ信号に変換し、スピーカから出力する。
【００４６】
ステップＳ１０４で、ユーザが「音を当てるチャレンジ！」ボタンを選択する操作を操作部１５０が取得して音の出題が選択された場合（ステップＳ１０４：音の出題）、音選択部１１１は、「おうち」グループに属する環境音データ１２１から１のデータをランダムに選択する（ステップＳ１０７）。そして図７（ｂ）に示すように、音を出力するための再生ボタンを表示する（ステップＳ１０８）。
【００４７】
ユーザが図７（ｂ）の再生ボタンをクリックする操作を操作部１５０が取得すると、音選択部１１１は、選択した環境音データ１２１を音出力部１３０に出力する（ステップＳ１０９）。音出力部１３０は、環境音データ１２１をアナログ信号に変換し、スピーカから出力する。
【００４８】
その後、解答選択肢生成部１１３は、音を出力した環境音データ１２１に対応付けられた音種類情報１２２とその他の１以上の音種類情報１２２を記憶部１２０から取得する。ここで、その他の１以上の音種類情報１２２は、選択されている「おうち」のグループに属する音種類情報１２２からランダムに選択したものである。そして、解答選択肢生成部１１３は、取得した音種類情報１２２を並べる順番もランダムに選択して解答選択肢を生成し、図８（ａ）に示すように、表示部１４０に表示する（ステップＳ１１０）。図８（ａ）においては、正答の「インターホン」の他、誤答の「せんたくき」「お皿を洗う音」を表示している。
【００４９】
正誤判定部１１４は、表示部１４０に表示した解答選択肢に対する、ユーザの選択操作を取得し、正誤判定を行う（ステップＳ１１１）。ユーザが、ステップＳ１０８で出力した環境音データ１２１に対応付けられた音種類情報１２２を選択して、正答と判定した場合には（ステップＳ１１２：Ｙｅｓ）、正答である旨を表示して、図５のステップＳ１１３に進む。誤答と判定した場合には（ステップＳ１１２：Ｎｏ）、誤答である旨を表示して、ステップＳ１０８に戻る。
【００５０】
ステップＳ１１３では、ステップＳ１１１の正誤判定で正答と判定された音種類情報１２２について、これに対応付けられた環境音関連情報１２３について出題をする。具体的には、解答選択肢生成部１１３が、正答と判定された音種類情報１２２に対応付けられた環境音関連情報１２３を記憶部１２０から取得する。
【００５１】
本実施形態では、図３の表に示すように、１の環境音データ１２１又は１の音種類情報１２２に対応付けられた環境音関連情報１２３は、正答のもの２つと、誤答のもの１つを有している。解答選択肢生成部１１３は、取得した環境音関連情報１２３を並べる順番をランダムに選択して解答選択肢を生成し、図８（ｂ）に示すように、表示部１４０に表示する（ステップＳ１１３）。図８（ｂ）においては、正答の「おうちの人に知らせる」「知らない人だからいないふりをする」と、誤答の「げんかんのドアを開ける」を表示している。
【００５２】
正誤判定部１１４は、表示部１４０に表示した解答選択肢に対する、ユーザの選択操作を取得し、正誤判定を行う（ステップＳ１１４）。具体的には、ステップＳ１１１で正答と判定された音種類情報１２２に対応付けられた正答の環境音関連情報１２３をユーザが選択して、正誤判定を行う。そして、正答と判定した場合には（ステップＳ１１５：Ｙｅｓ）、正答である旨を表示し、図９（ａ）に示すように正答の環境音関連情報１２３の詳細情報を表示する（ステップＳ１１６）。ここで、表示されている環境音関連情報１２３に対応付けられた環境音を再度聞くための再生ボタンを表示してもよい。
【００５３】
ステップＳ１１４の正誤判定で、誤答と判定した場合には（ステップＳ１１５：Ｎｏ）、誤答である旨を表示してステップＳ１１３に戻る。ステップＳ１１６で詳細情報を表示した後は、図９（ｂ）に示すように、次の処理を選択する画面を表示する（ステップＳ１１７）。
【００５４】
ユーザが「おうちのリストをみる」を選択する操作をして音リストを表示することが選択された場合には（ステップＳ１１８：Ｙｅｓ）、ステップＳ１０５に戻る。ユーザが「おうちのメニューをみる」を選択する操作をしてグループメニューを表示することが選択された場合には（ステップＳ１１９：Ｙｅｓ）、ステップＳ１０３に戻る。ユーザが「ホーム画面」を選択する操作をした場合には（ステップＳ１２０：Ｙｅｓ）ステップＳ１０１に戻る。ユーザが終了を選択する操作をした場合には（ステップＳ１２１：Ｙｅｓ）処理を終了し、ユーザの操作が終了でない場合は（ステップＳ１２１：Ｎｏ）、ステップＳ１１８に戻り、次のユーザの操作を待つ。
【００５５】
以上説明したように、本実施形態においては、予め記憶部１２０に環境音データ１２１と音種類情報１２２と環境音関連情報１２３とを互いに対応づけて記憶しておき、ユーザが音リストから１の音種類情報１２２を選択した場合には、当該音種類情報１２２と対応づけられた環境音データ１２１を出力して音を出力する。その後、出力した環境音データ１２１に対応づけられた複数の環境音関連情報１２３を表示部１４０に表示させ、それに対するユーザの選択操作を取得し、ユーザが選択した環境音関連情報１２３が正答であるか否かを判定し、判定結果を出力することとした。これにより、ユーザは、環境音とその環境音が発生する状況とそれに対する行動を容易に学習することできる。
【００５６】
このように本発明は、複数の種類の環境音のデータと、環境音が発生する状況又はそれに対する行動を示す環境音関連情報と、を互いに対応づけて記憶しておき、環境音のデータに基づいて音出力部が任意の環境音を出力した後に、当該環境音のデータと対応づけられた複数の環境音関連情報を表示部に表示させ、ユーザが操作して選択した環境音関連情報が正答の環境音関連情報であるか否かを判定し、判定結果を表示部に表示させることとした。これにより、環境音が発生する状況を理解し、それに対する行動を学習することができる。
【００５７】
なお、本発明は、上記実施形態に限定されず、本発明の要旨を逸脱しない範囲での種々の変更は勿論可能である。
【００５８】
例えば、実施形態において、環境音を音出力部１３０から出力した後に、音種類情報１２２の解答選択肢を生成して出題し、正答であった場合に環境音関連情報１２３の解答選択肢を生成して出題するとしたが、環境音を音出力部１３０から出力した後に、音種類情報１２２の出題なしに、環境音関連情報１２３の解答選択肢を生成して出題してもよい。
【００５９】
また、環境音学習支援装置１００は、予め記憶部１２０に記憶した環境音データ１２１、音種類情報１２２、環境音関連情報１２３に基づいて環境音の出力や解答選択肢の生成を行うとしたが、ユーザが環境音データ１２１、音種類情報１２２、環境音関連情報１２３を記憶部１２０に追加する機能を更に有してもよい。
【００６０】
また、制御部１１０が実行した処理のプログラムを、既存のコンピュータ等の情報端末で実行させることにより、当該情報端末を本発明に係る環境音学習支援装置１００として機能させることも可能である。
【００６１】
このようなプログラムの配布方法は任意であり、例えば、ＣＤ−ＲＯＭ（Compact Disc Read-Only Memory）、ＤＶＤ（Digital Versatile Disc）、ＭＯ（Magneto Optical Disc）、メモリカード等のコンピュータ読み取り可能な記録媒体に格納して配布してもよいし、インターネット等の通信ネットワークを介して配布してもよい。
【符号の説明】
【００６２】
１００…環境音学習支援装置
１１０…制御部
１１１…音選択部
１１２…音種類情報表示部
１１３…解答選択肢生成部
１１４…正誤判定部
１２０…記憶部
１２１…環境音データ
１２２…音種類情報
１２３…環境音関連情報
１３０…音出力部
１４０…表示部
１５０…操作部
【図１】
2017151227.tif 000003
【図２】
2017151227.tif 000004
【図３】
2017151227.tif 000005
【図４】
2017151227.tif 000006
【図５】
2017151227.tif 000007
【図６】
2017151227.tif 000008
【図７】
2017151227.tif 000009
【図８】
2017151227.tif 000010
【図９】
2017151227.tif 000011
【手続補正書】
【提出日】平成29年5月11日(2017.5.11)
【手続補正１】
【補正対象書類名】明細書
【補正対象項目名】００１２
【補正方法】変更
【補正の内容】
【００１２】
上記目的を達成するため、本発明の第１の観点に係る環境音学習支援装置は、
複数の種類の環境音のデータと、各々の前記環境音が発生する状況又は当該状況に対する行動を示す複数の環境音関連情報と、を互いに対応づけて記憶する記憶部と、
前記環境音のデータに基づいて前記環境音を出力する音出力部と、
表示部と、
前記音出力部が任意の前記環境音を出力した後に、出力した当該環境音のデータと対応づけられた複数の前記環境音関連情報を前記表示部に表示させ、ユーザが選択した前記環境音関連情報が予め定めた正答であるか否かを判定し、判定結果を前記表示部に表示させる制御を行う制御部と、
を備え、
前記記憶部に記憶する複数の種類の前記環境音のデータは、複数のグループに分類されて記憶されており、
ユーザが１の前記グループを選択している場合には、前記表示部は、選択中の前記グループに応じた画像を背景として表示し、前記音出力部は、選択中の前記グループに属する前記環境音からランダムに選択した前記環境音を出力することを特徴とする。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】変更
【補正の内容】
【００１５】
前記記憶部に記憶する前記音種類情報は、複数の前記グループに分類されて記憶されており、
前記制御部は、ユーザが１の前記グループを選択している場合には、選択している前記グループに属する任意の前記環境音を前記音出力部が出力した後に、出力した当該環境音のデータと対応づけられた前記音種類情報を含む、選択している前記グループに属する複数の前記音種類情報を前記表示部に表示させ、ユーザが選択した前記音種類情報が当該環境音に対応づけられた前記音種類情報であるか否かを判定し、判定結果を表示部に表示させるようにしてもよい。
【手続補正４】
【補正対象書類名】明細書
【補正対象項目名】００１７
【補正方法】変更
【補正の内容】
【００１７】
また、本発明の第２の観点に係る環境音学習支援方法は、
コンピュータが実行する環境音学習支援方法であって、
複数の種類の環境音のデータと、各々の前記環境音が発生する状況又は当該状況に対する行動を示す複数の環境音関連情報と、を互いに対応づけて記憶する記憶ステップと、
前記環境音のデータに基づいて前記環境音を出力する音出力ステップと、
前記音出力ステップで任意の前記環境音を出力した後に、出力した当該環境音のデータと対応づけられた複数の前記環境音関連情報を表示部に表示させ、ユーザが選択した前記環境音関連情報が予め定めた正答であるか否かを判定した判定結果を表示する表示ステップと、
を有し、
前記記憶ステップで記憶する複数の種類の前記環境音のデータは、複数のグループに分類されて記憶され、
ユーザが１の前記グループを選択している場合に、前記表示ステップでは、前記表示部に、選択中の前記グループに応じた画像を背景として表示させ、前記音出力ステップでは、選択中の前記グループに属する前記環境音からランダムに選択した前記環境音を出力することを特徴とする。
【手続補正５】
【補正対象書類名】明細書
【補正対象項目名】００１８
【補正方法】変更
【補正の内容】
【００１８】
また、本発明の第３の観点に係るプログラムは、
コンピュータを、
複数の種類の環境音のデータと、各々の前記環境音が発生する状況又は当該状況に対する行動を示す複数の環境音関連情報と、を互いに対応づけて記憶する記憶部、
前記環境音のデータに基づいて前記環境音を出力する音出力部、
表示部、
前記音出力部が任意の前記環境音を出力した後に、出力した当該環境音のデータと対応づけられた複数の前記環境音関連情報を前記表示部に表示させ、ユーザが選択した前記環境音関連情報が予め定めた正答であるか否かを判定し、判定結果を前記表示部に表示させる制御を行う制御部、
として機能させるためのプログラムであって、
前記記憶部に記憶する複数の種類の前記環境音のデータは、複数のグループに分類されて記憶されており、
ユーザが１の前記グループを選択している場合には、前記表示部は、選択中の前記グループに応じた画像を背景として表示し、前記音出力部は、選択中の前記グループに属する前記環境音からランダムに選択した前記環境音を出力することを特徴とする。
【手続補正６】
【補正対象書類名】特許請求の範囲
【補正対象項目名】全文
【補正方法】変更
【補正の内容】
【特許請求の範囲】
【請求項１】
複数の種類の環境音のデータと、各々の前記環境音が発生する状況又は当該状況に対する行動を示す複数の環境音関連情報と、を互いに対応づけて記憶する記憶部と、
前記環境音のデータに基づいて前記環境音を出力する音出力部と、
表示部と、
前記音出力部が任意の前記環境音を出力した後に、出力した当該環境音のデータと対応づけられた複数の前記環境音関連情報を前記表示部に表示させ、ユーザが選択した前記環境音関連情報が予め定めた正答であるか否かを判定し、判定結果を前記表示部に表示させる制御を行う制御部と、
を備え、
前記記憶部に記憶する複数の種類の前記環境音のデータは、複数のグループに分類されて記憶されており、
ユーザが１の前記グループを選択している場合には、前記表示部は、選択中の前記グループに応じた画像を背景として表示し、前記音出力部は、選択中の前記グループに属する前記環境音からランダムに選択した前記環境音を出力する、
環境音学習支援装置。
【請求項２】
前記記憶部は、前記環境音の種類を示す音種類情報を、前記環境音のデータと対応づけて記憶し、
前記制御部は、前記音出力部が任意の前記環境音を出力した後に、出力した当該環境音のデータと対応づけられた前記音種類情報を含む複数の音種類情報を前記表示部に表示させ、ユーザが選択した前記音種類情報が当該環境音に対応づけられた前記音種類情報であるか否かを判定し、判定結果を表示部に表示させる、
請求項１に記載の環境音学習支援装置。
【請求項３】
前記記憶部に記憶する前記音種類情報は、複数の前記グループに分類されて記憶されており、
前記制御部は、ユーザが１の前記グループを選択している場合には、選択している前記グループに属する任意の前記環境音を前記音出力部が出力した後に、出力した当該環境音のデータと対応づけられた前記音種類情報を含む、選択している前記グループに属する複数の前記音種類情報を前記表示部に表示させ、ユーザが選択した前記音種類情報が当該環境音に対応づけられた前記音種類情報であるか否かを判定し、判定結果を表示部に表示させる、
請求項２に記載の環境音学習支援装置。
【請求項４】
前記制御部は、ユーザが１の前記グループを選択している場合に、選択している前記グループに属する全種類の前記環境音のデータに対応づけられた前記音種類情報を表示させ、ユーザが表示されている前記音種類情報から１の前記音種類情報を選択した場合に、選択した前記音種類情報に対応づけられた前記環境音のデータに基づいて前記音出力部に前記環境音を出力させる、
請求項３に記載の環境音学習支援装置。
【請求項５】
コンピュータが実行する環境音学習支援方法であって、
複数の種類の環境音のデータと、各々の前記環境音が発生する状況又は当該状況に対する行動を示す複数の環境音関連情報と、を互いに対応づけて記憶する記憶ステップと、
前記環境音のデータに基づいて前記環境音を出力する音出力ステップと、
前記音出力ステップで任意の前記環境音を出力した後に、出力した当該環境音のデータと対応づけられた複数の前記環境音関連情報を表示部に表示させ、ユーザが選択した前記環境音関連情報が予め定めた正答であるか否かを判定した判定結果を表示する表示ステップと、
を有し、
前記記憶ステップで記憶する複数の種類の前記環境音のデータは、複数のグループに分類されて記憶され、
ユーザが１の前記グループを選択している場合に、前記表示ステップでは、前記表示部に、選択中の前記グループに応じた画像を背景として表示させ、前記音出力ステップでは、選択中の前記グループに属する前記環境音からランダムに選択した前記環境音を出力する、
環境音学習支援方法。
【請求項６】
コンピュータを、
複数の種類の環境音のデータと、各々の前記環境音が発生する状況又は当該状況に対する行動を示す複数の環境音関連情報と、を互いに対応づけて記憶する記憶部、
前記環境音のデータに基づいて前記環境音を出力する音出力部、
表示部、
前記音出力部が任意の前記環境音を出力した後に、出力した当該環境音のデータと対応づけられた複数の前記環境音関連情報を前記表示部に表示させ、ユーザが選択した前記環境音関連情報が予め定めた正答であるか否かを判定し、判定結果を前記表示部に表示させる制御を行う制御部、
として機能させるためのプログラムであって、
前記記憶部に記憶する複数の種類の前記環境音のデータは、複数のグループに分類されて記憶されており、
ユーザが１の前記グループを選択している場合には、前記表示部は、選択中の前記グループに応じた画像を背景として表示し、前記音出力部は、選択中の前記グループに属する前記環境音からランダムに選択した前記環境音を出力する、
プログラム。